(57)【特許請求の範囲】
【請求項１】
コンピュータネットワークに接続された情報配信サーバと、該情報配信サーバが配信を行う情報に関するデータが蓄積された配信情報データベースと、ユーザの属性に関する情報を蓄積する登録ユーザデータベースとを備え、コンピュータネットワーク上に形成された情報配信サイトと、
コンピュータネットワークに接続された地図サーバと、該地図サーバが配信を行う地図画像データが蓄積された地図情報データベースとを備え、コンピュータネットワーク上に形成された地図データベースサイトと、
コンピュータネットワークを介して前記情報配信サイト及び前記地図データベースサイトにアクセス可能な携帯端末機とからなる情報配信システムであって、
前記携帯端末機は、
当該携帯端末機の位置を検出するＧＰＳを搭載すると共に、
前記ＧＰＳが検出した位置情報を前記情報配信サーバに送信し、前記情報配信サーバと前記地図サーバからそれぞれ配信される情報を受信し、受信した前記情報配信サーバと前記地図サーバからの情報を処理する情報処理手段と、
前記情報処理手段の処理結果を出力する表示手段とを備え、
前記情報配信サーバは、
前記携帯端末機から送信されてくる位置情報に基づいて、前記配信情報データベース内に蓄積されている広告情報の中から、この情報に含まれている座標データをもとに検索を行って、予め設定されている範囲の地域に含まれる広告情報を読み出し、更に、前記携帯端末機からのアクセスによってその携帯端末機を携帯しているユーザの属性情報を前記登録ユーザデータベースから読み出して、この読み出されたユーザの属性情報に適合する広告情報を、読み出された前記広告情報の中から選択して前記携帯端末機に送信すると共に、選択された前記広告情報を含む地域の地図画像データに関するアクセス情報を前記携帯端末機に送信する情報読み出し手段を備え、
前記地図サーバは、
前記アクセス情報に基づいて、前記情報配信サーバが選択した広告情報を含む地域の地図画像データを前記地図情報データベースから読み出して、前記携帯端末機に送信する地図画像データ読み出し手段を備え、
前記携帯端末機の情報処理手段は、前記情報配信サイトにアクセスして、前記情報読み出し手段によって送信された前記広告情報と前記アクセス情報を受信し、前記アクセス情報に基づいて前記地図データベースサイトにアクセスして、前記地図画像データ読み出し手段から送信された地図画像データを受信し、前記情報読み出し手段によって送信された前記広告情報の位置を、その座標データに基づいて前記地図画像データ読み出し手段から送信された地図画像データの地図画像と共に前記表示手段に表示させることを特徴とする携帯端末機への情報配信システム。
【発明の詳細な説明】
【０００１】
【発明の属する技術分野】
この発明は、ＧＰＳ(Global Positioning System)を備えた携帯端末機に対して、コンピュータネットワークを介して地域情報の配信を行うシステムに関する。
【０００２】
【発明が解決しようとする課題】
近年、ディスプレイを備えた携帯電話機やＰＤＡ(Personal Digital Assistants)等の携帯端末機が普及してきており、その普及に伴って、電話回線網等を介して広告などの情報を配信して携帯端末機のディスプレイに表示させるサービスも普及してきている。
【０００３】
しかしながら、従来の携帯端末機に対する情報配信サービスは、その情報配信サービスに加入している携帯端末機に対して一律に同じ情報が配信されるものであり、配信されてくる情報がユーザにとって必ずしもそのときに必要とされる情報ばかりとは限らないため、ユーザは、配信されてくる沢山の情報のなかから必要な情報を探し出さなければならないといった問題を有している。
【０００４】
この発明は、上記のような従来の携帯端末機に対する情報配信サービスにおける問題点を解決するために為されたものである。
すなわち、この発明は、ユーザに対して有用な情報をタイムリーに配信することが出来る携帯端末機への情報配信システムを提供することを目的とする。
【０００５】
【課題を解決するための手段】
本発明は、上記の目的を達成するために、コンピュータネットワークに接続された情報配信サーバと、該情報配信サーバが配信を行う情報に関するデータが蓄積された配信情報データベースとを備え、コンピュータネットワーク上に形成された情報配信サイトと、コンピュータネットワークに接続された地図サーバと、該地図サーバが配信を行う地図画像データが蓄積された地図情報データベースとを備え、コンピュータネットワーク上に形成された地図データベースサイトと、コンピュータネットワークを介して前記情報配信サイト及び前記地図データベースサイトにアクセス可能な携帯端末機とからなる情報配信システムであって、前記携帯端末機は、当該携帯端末機の位置を検出するＧＰＳを搭載すると共に、前記ＧＰＳが検出した位置情報を前記情報配信サーバと前記地図サーバに送信し、前記情報配信サーバと前記地図サーバからそれぞれ配信される情報を受信する送受信手段と、受信した前記情報配信サーバと前記地図サーバからの情報を処理する情報処理手段と、前記情報処理手段の処理結果を出力する表示手段とを備え、前記情報配信サーバは、前記携帯端末機から送信されてくる位置情報に基づいて、前記配信情報データベース内に蓄積されている情報の中から、この情報に含まれている座標データをもとに検索を行って、予め設定されている範囲の地域に含まれる情報を読み出して、前記携帯端末機に送信する情報読み出し手段を備え、前記地図サーバは、前記携帯端末機から送信されてくる位置情報に基づいて、前記地図情報データベースから対応する地図画像データを読み出して、前記携帯端末機に送信する地図画像データ読み出し手段を備え、前記携帯端末機の情報処理手段は、当該携帯端末機が前記情報配信サイトと前記地図データベースサイトにアクセスしている状態で、前記情報読み出し手段によって送信された前記座標データを含む情報及び前記地図画像データ読み出し手段によって送信された地図画像データに基づいて、前記地図画像データの地図画像上に前記情報の座標データの位置を表示させることを特徴としている。
【０００６】
この発明による携帯端末機への情報配信システムは、ユーザがこの情報配信システムを利用する際に、携帯端末機に搭載している全地球測位システム（ＧＰＳ）をオンした状態で、この携帯端末機をインターネット等のコンピュータネットワークに接続して情報配信サイトにアクセスする。
【０００７】
そして、この状態で、ユーザがこの携帯端末機を携帯して移動を行うと、そのＧＰＳによってユーザが移動した位置が検出されて、その位置情報が、例えば一定時間ごとに、コンピュータネットワークを介して情報配信サイトの情報配信サーバに送信される。
【０００８】
情報配信サイトの情報配信サーバは、この携帯端末機から送信されてくる位置情報に基づいて、配信情報データベース内に蓄積されている広告情報のなかから、この広告情報に含まれている座標データをもとに検索を行って、あらかじめ設定されている範囲の地域に含まれる店舗等の広告情報を読み出してゆく。
【０００９】
そして、地図データベースサイトの地図サーバが、地図情報データベースから対応する地図画像データが読み出して携帯端末機に送信することにより、携帯端末機に、その地図画像が広告情報の提供者の位置とともに表示される。このようにして読み出された任意の広告情報が、コンピュータネットワークを介して携帯端末機に送信され、携帯端末機に装備されているディスプレイに地図画像と共に表示される。
【００１０】
以上のように、本発明によれば、ユーザは、移動するのにともなって、逐次、その移動位置を含む所要の範囲の地域における広告情報をタイムリーに入手することができるようになる。
【００１１】
また、本発明による携帯端末機への情報配信システムは、前記目的を達成するために、前述の特徴に加えて、前記情報配信サイトが、ユーザの属性に関する情報を蓄積する登録ユーザデータベースをさらに備えていて、前記情報配信サーバが、前記携帯端末機からのアクセスによってその携帯端末機を携帯しているユーザの属性情報を前記登録ユーザデータベースから読み出して、この読み出されたユーザの属性情報と前記位置情報に基づいて前記配信情報データベースから配信情報の読み出しを行うことを特徴としている。
【００１２】
この発明による携帯端末機への情報配信システムによれば、ユーザが情報配信サイトにあらかじめまたはこの情報配信システムの利用を開始する際に自分の属性を登録すると、そのユーザの登録データが登録ユーザデータベースに記録される。
【００１３】
そして、情報配信サーバは、携帯端末機から送信されてくる位置情報に対応して配信情報データベースから配信を行う広告情報を読み出す際に、登録ユーザデータベースから、携帯端末機を使用しているユーザの属性データを、例えば携帯端末機の電話番号やユーザが入力するなどに基づいて読み出し、この読み出されたユーザの属性に適合する広告情報のみを選択して読み出して、携帯端末機に配信する。
【００１４】
これによって、ユーザは、性別や年齢，職業，趣味などの属性を情報配信サイトの登録ユーザデータベースに登録しておくことにより、情報配信サイトから自分に合った広告情報が配信されてくるようにすることが出来、自分に有用な情報をさらにピックアップし易くなる。
【００１７】
これによって、ユーザは、配信されてくる情報をさらに有効に利用することが出来るようになる。
【００１８】
【発明の実施の形態】
以下、この発明の最も好適と思われる実施の形態について、図面を参照しながら詳細に説明を行う。
【００１９】
図１は、この発明による携帯端末機への情報配信システムの実施形態の一例を示すシステム構成図である。
なお、この携帯端末機への情報配信システムは、広告情報の他、天気予報や交通情報等の各種情報の配信サービスについても適用が可能であるが、以下においては、例えばデパートや商店のセール情報やレストランのランチ情報，イベント情報などの広告情報の配信サービスを例にとって説明を行う。
【００２０】
この図１において、情報配信サイトＳ１は、携帯電話機やＰＤＡなどの携帯端末機に、あらかじめ登録されている広告情報をコンピュータネットワークを介して配信するサイトであり、情報配信サーバＳ１ａと、配信情報データベースＳ１ｂと、登録ユーザデータベースＳ１ｃとを備えていて、コンピュータネットワーク（この例の場合にはインターネットＩ）に接続されている。
【００２１】
そして、インターネットＩには、地図画像データの検索を行って情報端末機Ｔに地図画像データを提供する地図サーバＳ２ａと、地図画像データが蓄積された地図データベースＳ２ｂとを備えた地図データベースサイトＳ２が接続されている。
【００２２】
携帯電話機やＰＤＡなどの携帯端末機Ｔは、図示しない公衆電話回線網からインターネットＩを介して情報配信サイトＳ１および地図データベースサイトＳ２に接続出来るインターネット機能を備えている。
【００２３】
そして、この携帯端末機Ｔは、ＧＰＳ(Global Positioning System)を搭載していて、衛星ＳＴによって位置の検出を行い、インターネットＩに接続された際に、その位置情報をインターネットＩを介して情報配信サイトＳ１に送信するようになっている。
【００２４】
情報配信サイトＳ１の情報配信サーバＳ１ａは、携帯端末機ＴからインターネットＩを介してアクセスがあると、その携帯端末機Ｔから位置情報を受信し、後述する配信情報データベースＳ１ｂから、受信した位置情報に基づいて、あらかじめ登録されている地域ごとの広告情報を読み出して、携帯端末機Ｔに送信を行う。
【００２５】
配信情報データベースＳ１ｂには、あらかじめ登録されているデパートや商店のセール情報やレストランのランチ情報，イベント情報などの広告情報に関するデータが地域ごとに分類して、または、緯度と経度による座標データとともに蓄積されている。
【００２６】
登録ユーザデータベースＳ１ｃには、あらかじめ登録されているユーザ情報に関するデータ、例えば、登録しているユーザの性別や年齢，職業，趣味などの属性に関するデータが蓄積されている。
【００２７】
地図データベースサイトＳ２は、地図サーバＳ２ａが、インターネットＩを介して携帯端末機Ｔから送られてくる送信要求に対して、要求された地域の地図画像データを地図データベースＳ２ｂに蓄積された地図画像データのなかから読み出して、携帯端末機Ｔに送信を行うよう構成されている。
なお、図１中、ＣＳは、ＧＰＳにおける衛星ＳＴの時刻信号を管理する地上制御局である。
【００２８】
次に、上記の情報配信システムによる携帯端末機Ｔへの情報の配信の方法について説明を行う。
【００２９】
ユーザは、この情報配信システムを利用する際には、携帯端末機Ｔに搭載しているＧＰＳをオンした状態で、この携帯端末機ＴをインターネットＩに接続して情報配信サイトＳ１にアクセスさせておく。
【００３０】
そして、この状態で、ユーザが携帯端末機Ｔを携帯して移動を行うと、その移動した位置は、携帯端末機ＴのＧＰＳによって検出されて、その検出された位置情報が、一定時間（例えば５分）ごとに、インターネットＩを介して情報配信サイトＳ１の情報配信サーバＳ１ａに送信される。
【００３１】
情報配信サイトＳ１の情報配信サーバＳ１ａは、この携帯端末機Ｔから送信されてくる位置情報に基づいて、配信情報データベースＳ１ｂ内に蓄積されている広告情報のなかから、この広告情報に含まれている座標データをもとに検索を行って、あらかじめ設定されている範囲の地域に含まれる店舗等の広告情報を読み出してゆく。
【００３２】
このとき、読み出される広告情報の範囲は、例えば、携帯端末機Ｔが位置している地点からの距離とか所要時間、または、行政区画などによってあらかじめ設定される。
【００３３】
このようにして読み出された任意の広告情報は、インターネットＩを介して携帯端末機Ｔに送信され、携帯端末機Ｔに装備されているディスプレイに表示される。
【００３４】
これによって、ユーザは、移動するのにともなって、逐次、その移動位置を含む所要の範囲の地域における広告情報をタイムリに入手することができる。
【００３５】
このとき、広告情報を提供している例えばデパートなどの位置をその広告情報とともに携帯端末機Ｔに表示する場合には、情報配信サーバＳ１ａは地図データベースサイトＳ２のＵＲＬ（Uniform Resource Locator)を示すＨＴＭＬデータを携帯端末機Ｔに送信する。
【００３６】
そして、このＵＲＬに基づいて携帯端末機Ｔが地図データベースサイトＳ２にアクセスすると、地図データベースサイトＳ２の地図サーバＳ２ａが、地図情報データベースＳ２ｂから対応する地図画像データを読み出して携帯端末機Ｔに送信し、携帯端末機Ｔのディスプレイに、地図画像を、広告情報の提供を行っているデパート等の位置とともに表示させる。
【００３７】
上記のような情報配信システムによって情報の配信を行う際に、ユーザは、性別や年齢，職業，趣味などの属性を情報配信サイトＳ１の登録ユーザデータベースＳ１ｃに登録しておくことにより、情報配信サイトＳ１からそのユーザに合った広告情報が配信されてくるようにすることが出来る。
【００３８】
すなわち、ユーザが情報配信サイトＳ１にあらかじめ、または、この情報配信システムの利用を開始する際に自分の属性を登録しておくと、このユーザの登録データは登録ユーザデータベースＳ１ｃに記録される。
【００３９】
そして、情報配信サーバＳ１ａは、携帯端末機Ｔから送信されてくる位置情報に対応して配信情報データベースＳ１ｂから配信を行う広告情報を読み出す際に、登録ユーザデータベースＳ１ｃから携帯端末機Ｔを使用しているユーザの属性データを、例えば携帯端末機Ｔの電話番号やユーザが入力するＩＤなどに基づいて読み出し、この読み出されたユーザの属性に適合する広告情報のみを選択して読み出して、携帯端末機Ｔに配信する。
【００４０】
これによって、ユーザが若い女性の場合は、例えばブティック情報が選択されて配信されたり、小さい子供がいる主婦の場合には子供服のバーゲン情報が選択されて配信される等により、ユーザは、自分に有用な情報をさらに容易にピックアップすることが出来るようになる。
【図面の簡単な説明】
【図１】この発明の実施形態の一例を示すシステム構成図である。
【符号の説明】
Ｓ１         …情報配信サイト
Ｓ１ａ       …情報配信サーバ
Ｓ１ｂ       …配信情報データベース
Ｓ１ｃ       …登録ユーザデータベース
Ｓ２         …地図データベースサイト
Ｓ２ａ       …地図サーバ
Ｓ２ｂ       …地図データベース
Ｉ           …インターネット（コンピュータネットワーク）
Ｔ           …携帯端末機
ＳＴ         …衛星
ＣＳ         …地上制御局
【図１】
0003889196.tif 000002